(57)【要約】    【課題】  シャッタ装置に於けるバランススプリングの初期トルクの設定を工場作業とし、巻締め回数をより正確に管理し、又現場設置作業での巻締め作業を省略し、設置作業での作業性を向上し、作業の負担を軽減する。    【解決手段】  シャフト６の回転によりシャッタカーテンが開閉され、前記シャフトにバランススプリング１３による付勢力が作用されるシャッタ装置に於いて、前記バランススプリングの両端部にそれぞれ固定プラグ２２，２３が固着され、前記バランススプリングは前記固定プラグを介して前記シャフトに嵌装され、前記固定プラグの一方はブラケット１４を介して躯体側に固定可能であり、前記両固定プラグはそれぞれ前記シャフトに固定解除可能である。    【選択図】          図１
2005226291.tif 000002
【特許請求の範囲】
【請求項１】
シャフトの回転によりシャッタカーテンが開閉され、前記シャフトにバランススプリングによる付勢力が作用されるシャッタ装置に於いて、前記バランススプリングの両端部にそれぞれ固定プラグが固着され、前記バランススプリングは前記固定プラグを介して前記シャフトに嵌装され、前記固定プラグの一方はブラケットを介して躯体側に固定可能であり、前記両固定プラグはそれぞれ前記シャフトに固定解除可能であることを特徴とするシャッタ装置。
【発明の詳細な説明】
【技術分野】
【０００１】
本発明は、建屋等の構築構造物の出入口、窓等の開口部、或は車両のコンテナ、荷台の開口部等を開閉するシャッタ装置に関するものである。
【背景技術】
【０００２】
出入口等の開口部を開閉するシャッタ装置の１つとしてオーバヘッドドアがあり、該オーバヘッドドアは複数のパネルを屈曲可能に連結したシャッタカーテンを具備し、該シャッタカーテンをガイドレールに沿って昇降させる構成となっている。
【０００３】
オーバヘッドドアとしては例えば特許文献１に示されるものがある。図３によって、オーバヘッドドアの概略を説明する。
【０００４】
建屋等の開口部１の両側柱２に沿って、垂直ガイドレール３が設けられ、天井に沿って水平ガイドレール４が設けられ、前記垂直ガイドレール３と前記水平ガイドレール４とは湾曲レール５によって連結されている。前記垂直ガイドレール３の上方には水平な巻取シャフト６を具備する開閉装置７が設けられている。
【０００５】
前記垂直ガイドレール３、前記湾曲レール５、前記水平ガイドレール４に沿ってシャッタカーテン８がスライド可能となっており、該シャッタカーテン８は所要数のパネル９が屈曲自在に連結されて構成されている。
【０００６】
前記巻取シャフト６は回転自在に設けられ、図示しない開閉モータ等の駆動装置により回転される様になっている。該巻取シャフト６の両端部にはドラム１１が設けられ、該ドラム１１に巻付けられたワイヤ１２が前記シャッタカーテン８の下端部に係着されている。又、前記巻取シャフト６にはバランススプリング１３が設けられ、該バランススプリング１３は前記ワイヤ１２を介して前記シャッタカーテン８を上昇方向に付勢している。
【０００７】
前記開口部１が開かれる場合は、前記巻取シャフト６を介し前記ドラム１１が回転されることで前記ワイヤ１２が巻取られ、前記シャッタカーテン８が前記垂直ガイドレール３に沿って引上げられ、更に前記水平ガイドレール４に格納される様になっている。
【０００８】
又、前記開口部１が閉じられる場合は、前記開閉装置７により前記巻取シャフト６を介して前記ドラム１１が逆方向に回転され、前記ワイヤ１２が繰出されて前記シャッタカーテン８が降下され、前記開口部１が閉じられる。
【０００９】
前記バランススプリング１３には捩りコイルバネが使用され、該バランススプリング１３が所定量回転され初期トルクが付与された状態で一端がブラケット（後述）側に固定され、一端が前記巻取シャフト６側にプラグ（後述）を介して固定され、前記巻取シャフト６に巻取方向の回転力を付勢する様になっている。前記シャッタカーテン８には前記ワイヤ１２を介して上昇力が付勢され、前記シャッタカーテン８を開閉する際の動力が軽減されている。
【００１０】
図４に見られる様に、従来前記バランススプリング１３を設置するのは現場施工であり、前記垂直ガイドレール３、巻取シャフト６、シャッタカーテン８、バランススプリング１３等を一通り組付け、該バランススプリング１３を所定量回転させ初期トルクを付与する巻締め作業が行われる。巻締め作業が完了した後前記ワイヤ１２を前記シャッタカーテン８に係着する。
【００１１】
前記バランススプリング１３は当初は一端がブラケット１４に固定され、他端には固定プラグ１５が固定されている。該固定プラグ１５は前記巻取シャフト６に対して回転自在であり、該巻取シャフト６には固定されていない状態となっている。
【００１２】
前記固定プラグ１５に２本の巻棒１６を交互に差込みながら、前記固定プラグ１５を所定量回転する。この間、前記巻取シャフト６が回転しない様に所要の工具１７で前記巻取シャフト６を固定している。
【００１３】
前記固定プラグ１５を所定量回転した後、ボルト１８により前記固定プラグ１５を前記巻取シャフト６に固定する。前記ワイヤ１２を前記シャッタカーテン８に係着した後、前記工具１７を外して前記巻取シャフト６の拘束を解除すると、該巻取シャフト６に初期トルクが付与される。
【００１４】
上記した様に、前記バランススプリング１３の巻締め作業を設置現場で行っており、巻数の確認は目視で行っているので、巻締め回数の管理が不正確になる虞れがある。又、巻締め作業が高所作業で巻取シャフト６を拘束する者と巻締めする者との２人作業となる場合、作業効率が低下する要因となる虞れがあった。
【００１５】
【特許文献１】実開平７−２６５８７号公報
【発明の開示】
【発明が解決しようとする課題】
【００１６】
本発明は斯かる実情に鑑み、シャッタ装置に於けるバランススプリングの初期トルクの設定を工場作業とし、巻締め回数をより正確に管理し、又現場設置作業での巻締め作業を省略し、設置作業での作業性を向上し、作業の負担を軽減するものである。
【課題を解決するための手段】
【００１７】
本発明は、シャフトの回転によりシャッタカーテンが開閉され、前記シャフトにバランススプリングによる付勢力が作用されるシャッタ装置に於いて、前記バランススプリングの両端部にそれぞれ固定プラグが固着され、前記バランススプリングは前記固定プラグを介して前記シャフトに嵌装され、前記固定プラグの一方はブラケットを介して躯体側に固定可能であり、前記両固定プラグはそれぞれ前記シャフトに固定解除可能であるシャッタ装置に係るものである。
【発明の効果】
【００１８】
本発明によれば、シャフトの回転によりシャッタカーテンが開閉され、前記シャフトにバランススプリングによる付勢力が作用されるシャッタ装置に於いて、前記バランススプリングの両端部にそれぞれ固定プラグが固着され、前記バランススプリングは前記固定プラグを介して前記シャフトに嵌装され、前記固定プラグの一方はブラケットを介して躯体側に固定可能であり、前記両固定プラグはそれぞれ前記シャフトに固定解除可能であるので、前記バランススプリングの両端の固定プラグの相対回転をシャフトを介して拘束可能であり、バランススプリングに初期トルクを付与した状態で両バランススプリングをシャフトに固定することでバランススプリングに付与した初期トルクを保持でき、工場作業でバランススプリングの初期トルクの設定が可能となり、現場でのシャッタ装置組付け作業が大幅に改善される等の優れた効果を発揮する。
【発明を実施するための最良の形態】
【００１９】
以下、図面を参照しつつ本発明を実施する為の最良の形態を説明する。
【００２０】
図１は本発明の第１の実施の形態の要部の開閉装置を示している。尚、本発明が実施されるオーバヘッドドアの基本的な構成については、図３で示したものと同等であるので説明を省略する。又、図１中、図３中で示したものと同等のものには同符号を付してある。
【００２１】
構築構造物の躯体に固着されるブラケット１４にベアリングユニット２１を介して巻取シャフト６が回転自在に支持される。該巻取シャフト６の両端部は前記ブラケット１４より突出しており、両端部にそれぞれドラム１１が嵌着されている。
【００２２】
前記巻取シャフト６にはバランススプリング１３が嵌装されているが、該バランススプリング１３の両端部にはそれぞれ固定プラグ２２，２３が内嵌固着されており、該固定プラグ２２，２３に前記巻取シャフト６が遊貫している。
【００２３】
前記固定プラグ２２は前記バランススプリング１３に内嵌する胴部２２ａ、前記巻取シャフト６が遊貫するフランジ部２２ｂを有する。前記固定プラグ２２は該フランジ部２２ｂを軸芯方向に貫通するボルト２４により前記ブラケット１４に固着され、前記フランジ部２２ｂを半径方向に貫通する押し螺子２５により前記巻取シャフト６に固定可能となっている。
【００２４】
前記固定プラグ２３は、前記バランススプリング１３に内嵌する胴部２３ａ、前記巻取シャフト６が遊貫するフランジ部２３ｂを有し、前記固定プラグ２３は前記フランジ部２３ｂを半径方向に貫通する押し螺子２６により前記巻取シャフト６に固定可能となっている。
【００２５】
前記巻取シャフト６は２分割構造となっており、ジョイント２７によって連結され、該ジョイント２７には巻取シャフトの分割端が目視できる様に孔２８が穿設されている。前記ジョイント２７と前記巻取シャフト６との固定は押し螺子２９によって行われる。
【００２６】
工場から出荷される場合は、図１で示される状態に組立てられ、軸ユニット３０として前記バランススプリング１３に初期トルクが付与された状態で出荷される。
【００２７】
該バランススプリング１３に初期トルクを付与する作業は、先ず前記固定プラグ２２，２３を前記バランススプリング１３の両端に固着し、前記固定プラグ２３を巻取シャフト６に対して自由回転状態とし、前記固定プラグ２２を前記押し螺子２５で前記巻取シャフト６に固定する。
【００２８】
前記固定プラグ２３を所定量回転させ、前記バランススプリング１３に予定した初期トルクを付与する。次に、前記押し螺子２６で前記固定プラグ２３を前記巻取シャフト６に固定する。前記固定プラグ２２，２３が共に前記巻取シャフト６に固定されることで、前記固定プラグ２２，２３の回転が拘束され、前記バランススプリング１３に与えた初期トルクが保持される。
【００２９】
図３に示される様に、前記ブラケット１４を構築構造物の躯体に固着し、前記ドラム１１にワイヤ１２を巻設し、更に該ワイヤ１２をシャッタカーテン８に係着した後、前記押し螺子２５を弛めて前記巻取シャフト６が前記固定プラグ２２に対して自由となり、前記ベアリングユニット２１を介して前記ブラケット１４に回転自在に支持されることで、前記バランススプリング１３による上昇力が前記シャッタカーテン８に付勢される。
【００３０】
前記軸ユニット３０組込み作業での、現場の前記バランススプリング１３設定作業は、前記押し螺子２５を弛めるだけでよいので、著しく簡単になり、作業者への負担は大幅に軽減される。又、巻取シャフト６の軸長の微調整は、前記ジョイント２７と巻取シャフト６の嵌合長を調整することで可能となる。尚、該巻取シャフト６の軸長を調整する必要がない場合は、巻取シャフト６は２分割せず、前記ジョイント２７は省略できる。
【００３１】
又、保守作業でワイヤ１２とシャッタカーテン８を切離す場合も、シャッタカーテン８を閉鎖した状態で前記押し螺子２６により前記固定プラグ２３を固定することで、前記ワイヤ１２をシャッタカーテン８から切離した状態でも初期トルクの保持ができ、再度巻締め作業をする必要が無くなる。
【００３２】
又、上記実施の形態では１つのバランススプリング１３を示したが２つのバランススプリング１３を設ける場合も同様に実施可能である。
【００３３】
図２は第２の実施の形態を示している。図２中、図１中で示したものと同等のものには同符号を付し、その説明を省略する。
【００３４】
巻取シャフト６はベアリングユニット２１を介してブラケット１４に、又前記ベアリングユニット２１を介してブラケット３１に回転自在に支持される。該ブラケット３１はバランススプリング１３を跨ぐこの字状をしており、一端部３１ａ、他端部３１ｂ共に前記ベアリングユニット２１を介して前記巻取シャフト６に回転自在に嵌合しており、前記一端部３１ａには固定プラグ３２が固着されている。該固定プラグ３２には前記巻取シャフト６が遊嵌し、又前記バランススプリング１３の一端部に内嵌固着されている。
【００３５】
前記他端部３１ｂには前記フランジ部２２ｂと同構造のフランジ３３が固着され、該フランジ３３には押し螺子２５が半径方向に螺通しており、該押し螺子２５により前記フランジ３３は前記巻取シャフト６に固定可能となっている。
【００３６】
前記バランススプリング１３の他端部には固定プラグ２３が固着され、該固定プラグ２３は押し螺子２６により前記巻取シャフト６に固定可能となっている。
【００３７】
前記バランススプリング１３に初期トルクを付与する場合は、前記押し螺子２５により前記フランジ３３を巻取シャフト６に固定する。前記フランジ３３が前記巻取シャフト６に固定されることで、前記固定プラグ３２が前記ブラケット３１を介して前記フランジ３３に拘束される。前記固定プラグ２３を所定量回転して前記バランススプリング１３に初期トルクを付与し、前記押し螺子２６を締込んで前記固定プラグ２３を前記巻取シャフト６に固定する。前記バランススプリング１３の両端は前記固定プラグ３２及び固定プラグ２３より回転が拘束され、付与された初期トルクが保持される。
【００３８】
尚、図中３４は前記ボルト２４の位置決めの為のカラーであり、前記ブラケット３１を介して前記一端部３１ａの位置決めが可能である。
【００３９】
軸ユニット３０を組込む場合は、前記ブラケット１４、前記ブラケット３１を躯体に固定し、ワイヤ１２をシャッタカーテン８に係着した後、前記押し螺子２５を弛めて、前記フランジ３３と前記巻取シャフト６とを自由にすると、巻取シャフト６が固定プラグ３２に対して回転自在となり、初期トルクによる回転力が前記巻取シャフト６に作用する。
【図面の簡単な説明】
【００４０】
【図１】本発明の第１の実施の形態の要部を示す正面図である。
【図２】本発明の第２の実施の形態の要部を示す正面図である。
【図３】従来例を示す斜視図である。
【図４】従来例に於けるバランススプリング巻締め作業の説明図である。
【符号の説明】
【００４１】
１              開口部
６              巻取シャフト
７              開閉装置
８              シャッタカーテン
１１            ドラム
１２            ワイヤ
１３            バランススプリング
１４            ブラケット
２１            ベアリングユニット
２２            固定プラグ
２３            固定プラグ
２７            ジョイント
３１            ブラケット
３２            固定プラグ
３３            フランジ
【図１】
2005226291.tif 000003
【図２】
2005226291.tif 000004
【図３】
2005226291.tif 000005
【図４】
2005226291.tif 000006